(57)【要約】【課題】導光設備が結合される浴室ユニットであって、小物類を効率的に乾燥させることができる浴室ユニットを提供する。【解決手段】屋外から光を導入する光ダクトが結合される浴室ユニット１において、天井４に、光ダクト１０２に光学的に結合された導光口を設ける。また、浴室ユニット１の内部に、その上端が導光口に光学的に結合され、その内部が中空であり、その内面が光反射面とされた縦型ダクト７を設ける。更に、縦型ダクト７を光ダクト１０２から気密的に分離する透光板と、縦型ダクト７の内部を上部と下部とに気密的に区画する他の透光板とを設け、下部には、換気孔領域２６、扉３２、バー及び棚板を設け、縦型ダクト７の下端面にはスリット４２を設ける。【選択図】図２
2008082084.tif 000002
【特許請求の範囲】
【請求項１】
屋外から光を導入する導光設備が結合される浴室ユニットであって、
導光口と、
少なくとも一部が前記浴室ユニットの内部に配置され、前記導光口を介して前記導光設備に光学的に結合され、内部が中空であり、内面が光反射面とされた内部ダクトと、
前記内部ダクト内における少なくとも一部の空間を前記導光設備から気密的に分離する透光板と、
前記内部ダクトにおける前記透光板から見て前記導光設備の反対側の部分に設けられた換気孔と、
前記反対側の部分に形成され、開いたときに前記内部ダクトの内部を外部に連通させる扉と、
前記反対側の部分の内部に設けられた小物保持手段と、
前記反対側の部分における前記小物保持手段よりも下方に設けられた排水手段と、
を備えたことを特徴とする浴室ユニット。
【請求項２】
前記換気孔が開閉自在とされていることを特徴とする請求項１記載の浴室ユニット。
【請求項３】
前記換気孔がガラリ状に形成されていることを特徴とする請求項１または２に記載の浴室ユニット。
【請求項４】
前記排水手段は、前記反対側の部分の下端面に形成されたスリットであることを特徴とする請求項１〜３のいずれか１つに記載の浴室ユニット。
【請求項５】
前記内部ダクトの前記少なくとも一部の空間を２つの部分に気密的に区画する他の透光板をさらに備え、
前記換気孔、前記小物保持手段及び前記排水手段は、前記他の透光板から見て、前記導光設備の反対側の部分に設けられていることを特徴とする請求項１〜４のいずれか１つに記載の浴室ユニット。
【請求項６】
前記内部ダクトには、前記導光設備から導入された光を放光する放光口が形成されていることを特徴とする請求項１〜５のいずれか１つに記載の浴室ユニット。
【発明の詳細な説明】
【技術分野】
【０００１】
本発明は、浴室ユニットに関し、特に、屋外から光を導入する導光設備が結合される浴室ユニットに関する。
【背景技術】
【０００２】
近年、住宅等の建築物に光ダクトを設ける技術が開発されている。光ダクトとは、建築物の屋外から屋内まで連通し、その内面が光反射面となった筒状の部材であり、屋外の自然光を屋内に導入するものである。建築物にこのような光ダクトを設けることにより、日中の豊富な自然光を室内の照明に利用することができるため、照明コストを節約し、省エネルギー効果及び環境負荷軽減効果を得ることができる。また、室内に自然光を導入することにより、室内の居住性を向上させることができる。
【０００３】
特許文献１には、浴室ユニットに連通された排気ダクトの内部に光ダクトを設けることにより、浴室ユニットに光ダクトを結合する技術が開示されている。この技術においては、排気ダクトの内部に光ダクトを収納しているため、光ダクトにより導入された外光を浴室ユニット内に放光する放光口は、浴室ユニット内の空気を排気ダクトに導入する排気口の内部に設けられるか、又は排気口に隣接して設けられる。通常、排気口は浴室ユニットの天井における浴槽側の領域に設けられているため、光ダクトの放光口も、天井における浴槽側の領域に設けられることになる。
【０００４】
一方、通常、浴室ユニットには、浴室清掃用具、浴槽清掃用具、石けん、タオルなどの小物類が常設されており、これらの小物類はできるだけ乾燥した状態に保持しておくことが好ましい。また、洗った靴などの小物を浴室ユニット内で乾燥させたい場合もある。浴室ユニットには、これらの小物類を収納するための収納棚が設けられているが、入浴時には不可避的に水がかかってしまう。
【０００５】
【特許文献１】実開昭６０−０３３２４０号公報
【発明の開示】
【発明が解決しようとする課題】
【０００６】
本発明の目的は、導光設備が結合される浴室ユニットであって、小物類を効率的に乾燥させることができる浴室ユニットを提供することである。
【課題を解決するための手段】
【０００７】
本発明の一態様によれば、屋外から光を導入する導光設備が結合される浴室ユニットであって、導光口と、少なくとも一部が前記浴室ユニットの内部に配置され、前記導光口を介して前記導光設備に光学的に結合され、内部が中空であり、内面が光反射面とされた内部ダクトと、前記内部ダクト内における少なくとも一部の空間を前記導光設備から気密的に分離する透光板と、前記内部ダクトにおける前記透光板から見て前記導光設備の反対側の部分に設けられた換気孔と、前記反対側の部分に形成され、開いたときに前記内部ダクトの内部を外部に連通させる扉と、前記反対側の部分の内部に設けられた小物保持手段と、前記反対側の部分における前記小物保持手段よりも下方に設けられた排水手段と、を備えたことを特徴とする浴室ユニットが提供される。
【発明の効果】
【０００８】
本発明によれば、導光設備が結合され、小物類を効率的に乾燥させることができる浴室ユニットを実現することができる。
【発明を実施するための最良の形態】
【０００９】
以下、図面を参照しつつ本発明の実施形態について説明する。  
図１は、本実施形態に係る浴室ユニットが設けられた建築物を例示する模式的断面図であり、  
図２は、この浴室ユニットを例示する斜視図であり、  
図３は、この浴室ユニットを例示する断面図であり、
図４は、この浴室ユニットの縦型ダクトを例示する斜視図であり、
図５は、この縦型ダクトのスリットを例示する断面図である。
【００１０】
図１に示すように、本実施形態に係る浴室ユニット１は、建築物、例えば住宅１０１に設置されている。住宅１０１においては、導光設備としての光ダクト１０２が配設されている。光ダクト１０２は、住宅１０１の建築工事により配設されたものである。光ダクト１０２の一方の端部は、例えば住宅１０１の屋根に設けられた採光部１０３に結合されており、他方の端部は、浴室ユニット１の天井４に結合されている。採光部１０３は、透明板からなるドームによって覆われており、砂や埃は通過させないが光は透過させる。光ダクト１０２の内部は中空であり、その内面は光反射面となっており、例えば、鏡面又は白色面となっている。これにより、光ダクト１０２は、住宅１０１の外部から採光部１０３を介して導入された外光Ｌを、その内面において反射しつつ導光して、浴室ユニット１の内部に導入する。
【００１１】
図２に示すように、浴室ユニット１においては、床の一方の側に浴槽２が設けられており、他方の側が洗い場３となっている。また、浴室ユニット１の天井４における洗い場３側の領域には、光ダクト１０２に光学的に結合された導光口６が設けられている。そして、浴室ユニット１内には、内部ダクトとしての縦型ダクト７が設けられている。縦型ダクト７の形状は、例えば、略垂直方向に延びる四角筒状である。縦型ダクト７は、浴室ユニット１の側壁に沿って配置されており、その上端は導光口６に連結されており、その下端は洗い場３の床面５には接しておらず、床面５から例えば数十センチメートル離隔している。
【００１２】
なお、浴室ユニット１の天井４には、導光口６の他に、例えば、点検口（図示せず）及び排気口（図示せず）が設けられている。また、例えば、浴室ユニット１の側壁１４のうち、浴槽２の足側に位置する面における洗い場３側の領域には、入浴者のほぼ全身が映せるような大型の鏡１５が取り付けられている。更に、鏡１５の向かって左側の側方にはシャワー１７が取り付けられており、鏡１５の下方にはカウンター１８が設けられている。そして、縦型ダクト７は、例えば、鏡１５の向かって右側の側方、すなわち、鏡１５が取り付けられている側壁と浴槽２に対向する側壁とがなす角部に配置されており、これらの２つの側壁に接している。
【００１３】
図３に示すように、縦型ダクト７の内部は中空であり、その内面は光反射面とされている。光反射面とは、例えば、鏡面又は白色面であり、例えば、アルミニウム若しくはステンレスなどの金属面、又はこれらの金属面の表面に酸化アルミニウム若しくは樹脂などの被覆層が積層された面により構成することができる。
【００１４】
縦型ダクト７の上端部には、透光板２１がはめ込まれており、天井４の導光口６に連結されている。これにより、縦型ダクト７の上端は、導光口６を介して光ダクト１０２に光学的に結合されている。また、縦型ダクト７と導光口６との連結部は、ゴム製のパッキン２２によりシールされている。
【００１５】
また、図３及び図４に示すように、縦型ダクト７の内部には、透光板２３が例えば略水平に設けられている。透光板２３の外周部、すなわち、透光板２３の四辺と縦型ダクト７の内面との間には、ゴム製のパッキン２４が設けられている。これにより、透光板２３は、縦型ダクト７の内部を、上部７ａと下部７ｂとに気密的に区画している。
【００１６】
縦型ダクト７の側面のうち、洗い場３側の側面７ｃ、すなわち、浴室ユニット１における鏡１５が取り付けられている側壁１４側の側面７ｄの反対側の側面には、側面放光口８が設けられている。側面放光口８は、光ダクト１０２から縦型ダクト７内に導入された光の一部を浴室ユニット１内に放光するための開口部であり、透光板２５が水密的にはめ込まれている。側面放光口８は、側面７ｃにおける透光板２３よりも上方の領域、すなわち、上部７ａに設けられている。側面放光口８の高さは、例えば、入浴者（図示せず）が洗い場３に座ったときに、手元の近くとなる高さである。
【００１７】
また、側面７ｃにおける透光板２３よりも下方の領域、すなわち、下部７ｂには、換気孔領域２６が設けられている。換気孔領域２６の上下端には、１対のスライドガイド２７が水平方向に延びるように敷設されており、この１対のスライドガイド２７間に、引き戸２８が設けられている。引き戸２８は、側面７ｃに対して平行に配置され、換気孔領域２６の一部を覆うものであり、スライドガイド２７に案内されて、水平方向に移動可能とされている。引き戸２８の外面には、つまみ２９が設けられている。また、スライドガイド２７間の領域における例えば向かって左側半分の領域には、水平方向に延びる例えば２本のスリット３０が設けられている。
【００１８】
図５に示すように、各スリット３０はガラリ状になっている。すなわち、側面７ｃに水平方向に延びる開口部３０ａが形成されており、開口部３０ａの外方には傾斜板３０ｂが設けられている。傾斜板３０ｂの上端は開口部３０ａの上方にて側面７ｃに連結されており、傾斜板３０ｂの下端は、側面７ｃから離隔している。これにより、傾斜板３０ｂの下端と側面７ｃとの間には、下方に向いた隙間３０ｃが形成されている。そして、図４に示すように、引き戸２８が、その可動域の向かって左側の端部に位置しているときはスリット３０を覆い、向かって右側の端部に位置しているときはスリット３０を露出させる。すなわち、引き戸２８により、換気孔としてのスリット３０は開閉自在とされている。
【００１９】
更に、縦型ダクト７の側面７ｃにおける換気孔領域２６の下方には、扉３２が開閉自在に設けられている。扉３２の幅は例えば側面７ｃの幅とほぼ等しく、扉３２の高さは幅よりもやや大きい。扉３２は、例えば外開きの開き戸であり、縦型ダクト７の外側から見て向かって右側の端縁が縦型ダクト７に対して回動可能に支持されており、向かって左側の端部に取っ手３３が取り付けられている。そして、扉３２を開くと、縦型ダクト７の内部が外部と連通し、縦型ダクト７の内部に対して、小物類（図示せず）を出し入れ可能となる。なお、小物類とは、例えば、浴室清掃用具、浴槽清掃用具、石けん及びタオルなどの常設物、並びに、洗った靴などの被乾燥物である。
【００２０】
縦型ダクト７の内部における扉３２と同じ高さの領域の上部には、水平に張架されたバー３５が設けられている。バー３５は、直接、又はＳ字管３６を介して、小物類を吊り下げるものである。また、扉３２と同じ高さの領域の下方には、縦型ダクト７の水平断面の全領域にわたって、棚板３７が設けられている。棚板３７は、例えば、金網又はパンチングメタルなどの剛性と通水性及び通気性とを兼ね備えた板状部材で構成されており、小物類を保持すると共に、小物類から滴り落ちた水滴を下方に通過させる。すなわち、バー３５及び棚板３７は、小物保持手段である。そして、縦型ダクト７の下部７ｂにおける透光板２３と棚板３７との間の領域が、乾燥室４０となっている。
【００２１】
更にまた、縦型ダクト７の下端面は、垂直方向及び水平方向の双方に対して傾斜しており、斜めに切断されたような面となっている。これにより、縦型ダクト７の側壁１４側の側面７ｄは、洗い場３側の側面７ｃよりも下方まで延出している。そして、縦型ダクト７の下端面は開口しており、下端放光口９となっている。下端放光口９は、光ダクト１０２から縦型ダクト７内に導入された光のうち、側面放光口８から放光されなかった光を放光する。下端放光口９には、透光板４１がはめ込まれており、透光板４１には、排水手段としてのスリット４２が形成されている。
【００２２】
上述の透光板２１、２３、２５及び４１は、光の少なくとも一部を透過させる板状部材であり、光を直進的に透過させる透明な樹脂、又は光を拡散させながら透過させる乳白色の樹脂により形成されている。
【００２３】
次に、本実施形態に係る浴室ユニットの動作について説明する。  
扉３２を開き、濡れた小物類をバー３５に吊り下げるか、棚板３７上に載置して、乾燥室４０内に収納する。これにより、小物類から滴り落ちた水滴が、棚板３７を通過して、透光板４１に到達し、スリット４２を介して縦型ダクト７の外部に排出される。このとき、引き戸２８をスライドさせ、スリット３０を露出させることにより、スリット３０を換気孔として機能させる。これにより、小物類を乾燥させる。
【００２４】
一方、図１に示すように、住宅１０１の外部から外光Ｌ、例えば太陽光が、採光部１０３を介して光ダクト１０２の内部に導入される。この外光Ｌは、光ダクト１０２の内面によって繰り返し反射されながら光ダクト１０２内を伝達し、浴室ユニット１の導光口６及び透光板２１を介して、縦型ダクト７の内部に導入される。
【００２５】
縦型ダクト７内に導入された外光Ｌは、縦型ダクト７の内面により反射されながら下方に向けて伝達し、一部が側面放光口８を介して浴室ユニット１内に向けて放光される。また、外光Ｌの残部は、縦型ダクト７内を更に下方に向けて伝達し、乾燥室４０を通過し、下端放光口９を介して放光される。下端放光口９から放光された外光Ｌは、洗い場３の床面５に対して照射される。この過程で、乾燥室４０を通過する外光が小物類にも照射され、小物類の乾燥を促進する。
【００２６】
また、入浴する際には、扉３２を閉じると共に、引き戸２８を移動させて、スリット３０も閉じる。これにより、シャワーから吐出された水などが縦型ダクト７にかかっても、この水が乾燥室４０内に侵入して小物類を濡らすことを防止できる。これにより、入浴中も小物類を連続して乾燥させることができる。
【００２７】
次に、本実施形態の効果について説明する。  
本実施形態においては、縦型ダクト７の内部に設けられた乾燥室４０において、小物類を干すことができる。このとき、扉３２及び引き戸２８を閉じることにより、浴室ユニット１において入浴を行っても小物類に水がかかることがなく、入浴によって乾燥が中断されることがない。このため、小物類を連続して乾燥させることができる。
【００２８】
また、小物類には、光ダクト１０２及び縦型ダクト７を介して導入された外光が照射させるため、効率的に乾燥させることができる。また、引き戸２８を開けておけば、スリット３０により乾燥室４０内を換気することができるため、乾燥室４０内の水蒸気をスリット３０を介して排出し、より効果的に小物類を乾燥させることができる。なお、スリット３０はガラリ状に形成されているため、仮に、引き戸２８が開いているときにシャワーから吐出された水がスリット３０にかかっても、この水が縦型ダクト７内に侵入することがない。更に、縦型ダクト７の下端面には、スリット４２が形成されているため、小物類から落下した水滴を縦型ダクト７の外部に排出することができる。更にまた、スリット３０とスリット４２とが乾燥室４０を挟む位置に離隔して配置されているため、スリット３０とスリット４２との間で空気を流通させ、効率的に換気することができる。
【００２９】
更に、縦型ダクト７の内部は、透光板２３により上部７ａと下部７ｂとに気密的に分離されており、透光板２１により上部７ａと光ダクト１０２とが気密的に分離されているため、下部７ｂ内で小物類から蒸発した水蒸気が、上部７ａ内及び光ダクト１０２内に侵入することがない。これにより、上部７ａ及び光ダクト１０２の内部を常に乾燥した状態に保つことができ、上部７ａ内及び光ダクト１０２内で結露が発生することがない。このため、光の反射効率が低下することがないと共に、腐食が進行することがない。一方で、透光板２１及び２３は光を透過させるため、下部７ｂ内に外光を導入することができる。なお、透光板２１及び２３は、少なくともいずれか一方が設けられていれば、光ダクト１０２内に蒸気が侵入することを防止できる。また、透光板２１及びパッキン２２により、浴室ユニット１の内部と外部とが水密的に隔離されているため、浴室ユニット１内の水分及び水蒸気が、浴室ユニット１の外部、例えば、天井裏に漏洩することがない。
【００３０】
更にまた、本実施形態においては、光ダクト１０２により導入され、導光口６に到達した外光が、縦型ダクト７により下方に伝達され、側面放光口８及び下端放光口９まで導光される。この結果、側面放光口８により、外光を洗い場３に座っている入浴者の手元の近くで放光することができ、入浴者の手元を効率よく照明することができる。また、下端放光口９により、外光を床面５の近くで放光することができ、これにより、外光に含まれる赤外線成分が床面５を効率よく加熱して乾燥させ、床面５においてカビの発生を防止することができると共に、外光に含まれる紫外線成分によっても、カビの発生を防止することができる
【００３１】
更にまた、本実施形態においては、縦型ダクト７の側面のうち、側壁１４側の側面７ｄが、洗い場３側の側面７ｃよりも下方まで延出している。これにより、下端放光口９を介して、外光を洗い場３の中央部に向けて効率よく放光することができる。
【００３２】
以上、実施形態を参照しつつ、本発明の特徴を説明した。しかし、本発明はこれらの実施形態に限定されるものではなく、前述の実施形態に係る浴室ユニットを構成する要素について、当業者が適宜追加、省略又は設計変更を加えたものであっても、本発明の要旨を備えたものであれば、本発明の範囲に包含される。
【００３３】
例えば、縦型ダクト７の下端面に透光板４１を設けず、下端面全体を開口させてもよい。これにより、浴室ユニット１内の湿度が乾燥室４０内の湿度よりも高いときには、浴室ユニット１内の水蒸気が乾燥室４０内に侵入しやすくなるものの、浴室ユニット１内の湿度が乾燥室４０内の湿度よりも低いときには、乾燥室４０内をより速やかに乾燥させることができる。また、小物類から落下した水滴をより速やかに縦型ダクト７の外部に排出することができる。
【００３４】
また、縦型ダクト７の下端面に、水受けトレイを設けてもよい。この水受けトレイは、縦型ダクト７に対して着脱自在としておき、使用者が適宜排水してもよい。又は、ドレン管を介して浴室排水部に接続しておき、常時排水されるようにしてもよい。これにより、縦型ダクト７からの排水により、床面５が濡れることを防止できる。
【００３５】
更にまた、本実施形態においては、側面放光口８は設けなくてもよい。また、逆に、側面放光口８を複数ヶ所設けてもよい。更に、側面放光口８の形状を、縦型ダクト７の全長にわたって垂直方向に延びるスリット状としてもよい。更にまた、側面放光口８及び下端放光口９に開閉可能なシャッターを取り付けて、放光位置を選択できるようにしてもよい。この場合、シャッターの裏面を光反射面とすれば、シャッターを閉めても光の利用効率が大きく低下することがない。
【００３６】
更にまた、縦型ダクトの上端部は、導光口６を突き抜けて、天井４の上方まで突出しており、天井４の上方で光ダクト１０２と光学的に結合されていてもよい。また、光ダクト１０２と縦型ダクト７との間に、必要に応じて接続用ダクトを設けてもよい。このようにしても、縦型ダクト７を導光口６を介して光ダクト１０２に光学的に結合することができる。また、縦型ダクトの形状は四角筒形に限定されず、任意の形状とすることができる。例えば、縦型ダクトの形状を浴室ユニットの壁面に沿った平板状の形状とし、乾燥室の収納量を向上させてもよい。
【００３７】
更にまた、縦型ダクト７の上部７ａに、白熱灯、蛍光灯及びＬＥＤ（Light Emitting Diode：発光ダイオード）などの人工照明を設けてもよい。これにより、外光が不足するときに、人工照明を使用することができる。この場合においても、人工照明は縦型ダクトの上部７ａ内に配置されているため、水がかかることがなく、漏電及び感電に対する過剰な対策が不要となる。更にまた、光ダクトが結合される導光口は、浴室ユニットの側壁の上部に設けられていてもよい。更にまた、前述の実施形態においては、屋外から浴室ユニット内に外光を導入する導光設備が光ダクトである例を示したが、本発明はこれに限定されず、導光設備は例えば光ファイバであってもよい。
【図面の簡単な説明】
【００３８】
【図１】本発明の実施形態に係る浴室ユニットが設けられた建築物を例示する模式的断面図である。
【図２】本実施形態に係る浴室ユニットを例示する斜視図である。
【図３】本実施形態に係る浴室ユニットを例示する断面図である。
【図４】本実施形態に係る浴室ユニットの縦型ダクトを例示する斜視図である。
【図５】本実施形態における縦型ダクトのスリットを例示する断面図である。
【符号の説明】
【００３９】
１  浴室ユニット、２  浴槽、３  洗い場、４  天井、５  床面、６  導光口、７  縦型ダクト、７ａ  上部、７ｂ  下部、７ｃ、７ｄ  側面、８  側面放光口、９  下端放光口、１４  側壁、１５  鏡、１７  シャワー、１８  カウンター、２１、２３、２５  透光板、２２、２４  パッキン、２６  換気孔領域、２７  スライドガイド、２８  引き戸、２９  つまみ、３０  スリット、３０ａ  開口部、３０ｂ  傾斜板、３０ｃ  隙間、３２  扉、３３  取っ手、３５  バー、３６  Ｓ字管、３７  棚板、４０  乾燥室、４１  透光板、４２  スリット、１０１  住宅、１０２  光ダクト、１０３  採光部、Ｌ  外光
【図１】
2008082084.tif 000003
【図２】
2008082084.tif 000004
【図３】
2008082084.tif 000005
【図４】
2008082084.tif 000006
【図５】
2008082084.tif 000007